(57)【要約】【課題】電源線を通話線接続端子に誤って接続した場合でも、通話回路に電源電圧が印加されて通話回路が故障することを未然に防止することのできるインターホン親機を提供する。【解決手段】電源端子Ｖには、通話回路１３と通話線端子ＴＡとの間には、通話回路１３と通話線端子ＴＡとの接続のオンオフを切り換える通話路切換手段１５を備えており、電源端子Ｖに電圧が印加されたときには、通話回路１３と通話線端子ＴＡとを接続することを特徴とする。【選択図】図１
2008085611.tif 000002
【特許請求の範囲】
【請求項１】
電源端子と、内蔵する通話回路に接続される通話線端子とを備えるインターホン親機において、
上記通話回路と上記通話線端子との間には、上記通話回路と上記通話線端子との接続のオンオフを切り換える通話路切換手段を備えており、上記電源端子に電圧が印加されたときには、上記通話回路と上記通話線端子とを接続することを特徴とするインターホン親機。
【請求項２】
請求項１において、
上記通話路切換手段は、常開型のリレー回路で構成されていることを特徴とするインターホン親機。
【請求項３】
電源端子と、内蔵する通話回路に接続される通話線端子とを備えるインターホン子機において、
上記通話回路と上記通話線端子との間には、上記通話回路と上記通話線端子との接続のオンオフを切り換える通話路切換手段を備えており、上記電源端子に電圧が印加されたときには、上記通話回路と上記通話線端子とを接続することを特徴とするインターホン子機。
【請求項４】
請求項３において、
上記通話路切換回路は、常開型のリレー回路で構成されていることを特徴とするインターホン子機。
【請求項５】
請求項１または２に記載のインターホン親機と、請求項３または４に記載のインターホン子機とで構成されたインターホンシステム。
【発明の詳細な説明】
【技術分野】
【０００１】
本発明は、インターホン親機、インターホン子機、インターホンシステムの改良に関する。
【背景技術】
【０００２】
近時、特許文献１に示すようなインターホンシステムが広く普及している。
【０００３】
この種のインターホンシステムでは、インターホン親機にはインターホン子機が付加接続されており、インターホン親機とインターホン子機との各々には、電源端子と、内蔵される通話回路に接続される通話線端子とを備えている。インターホン親機とインターホン子機とにおいては、電源端子には電源線を、通話線端子には通話線を接続しており、インターホン親機とインターホン子機とは、電源線を通じて供給された駆動電源を受けて駆動し、インターホン子機において呼出操作があったときには、インターホン親機では所定の呼出がなされ、応答があると、両者の間で通話路が閉結されて通話可能となる。
【特許文献１】特開２００５−３１１４４１号公報
【発明の開示】
【発明が解決しようとする課題】
【０００４】
ところが、この種の従来のインターホンシステムでは、インターホン親機、インターホン子機のそれぞれは、通話線接続端子、電源端子は、機器の裏側に近接して配置されていることが多いので、電源端子に接続すべき電源線を通話線接続端子に誤って接続してしまうことがある。このような場合には、通話回路に電源電圧が印加され、過電流が生じて故障してしまうおそれがあった。
【０００５】
本発明は、このような問題を解決するために提案され、電源線を通話線接続端子に誤って接続した場合でも、通話回路に電源電圧が印加されて故障してしまうことを未然に防止することのできるインターホン親機、インターホン子機、インターホンシステムを提供することを目的とする。
【課題を解決するための手段】
【０００６】
上記目的を達成するために、本発明の請求項１のインターホン親機では、通話回路と通話線端子との間には、通話回路と通話線端子との接続のオンオフを切り換える通話路切換手段を備えており、電源端子に電圧が印加されたときには、通話回路と通話線端子とを接続することを特徴とする。
【０００７】
請求項２のインターホン親機では、通話路切換手段は、常開型のリレー回路で構成されていることを特徴とする。
【０００８】
請求項３のインターホン子機では、電源端子と、内蔵する通話回路に接続される通話線端子とを備えるインターホン子機において、通話回路と通話線端子との間には、通話回路と通話線端子との接続のオンオフを切り換える通話路切換手段を備えており、電源端子に電圧が印加されたときには、通話回路と通話線端子とを接続することを特徴とする。
【０００９】
請求項４のインターホン子機では、通話路切換回路は、常開型のリレー回路で構成されていることを特徴とする。
【００１０】
請求項５のインターホンシステムでは、請求項１または２に記載のインターホン親機と、請求項３または４に記載のインターホン子機とで構成されている。
【発明の効果】
【００１１】
請求項１によれば、インターホン親機では、電源端子に電圧が印加されたときに、通話回路と通話線端子との接続を行うので、電源線を誤って通話線端子に接続しても、通話回路には電源電圧が印加されないため、通話回路が故障してしまうことを防止できる。
【００１２】
請求項２によれば、インターホン親機では、通話路切換回路は常開型のリレー回路で構成されているので、回路構成を簡易にできる。
【００１３】
請求項３によれば、インターホン子機では、電源端子に電圧が印加されたときに、通話回路と通話線端子との接続を行うため、電源線を誤って通話線端子に接続しても、通話回路には電源電圧が印加されないので、通話回路が故障してしまうことを防止できる。
【００１４】
請求項４によれば、インターホン子機では、通話路切換回路は常開型のリレー回路で構成されているので、回路構成を簡易にできる。
【００１５】
請求項５によれば、請求項１または２に記載のインターホン親機と、請求項３または４に記載のインターホン子機とで構成されているので、請求項１〜４のいずれかの効果を奏するインターホンシステムを提供することができる。
【発明を実施するための最良の形態】
【００１６】
以下に、本発明の実施の形態について説明する。図４は、本発明のインターホンシステムの概略構成の一例を示すシステム系統図である。
【００１７】
本発明のインターホンシステムは、第１のインターホン親機１は、電源線Ｌ１を通じて商用交流電源３を接続しており、商用交流電源３から供給される駆動電源ＶＯを受けて駆動するようにしている。
また、第１のインターホン親機１には、グランド線Ｌ２、通信線Ｌ３、通話線Ｌ４を通じてインターホン子機２が接続され、更に、インターホン子機２には、電源線Ｌ１、グランド線Ｌ２、通信線Ｌ３、通話線Ｌ４を通じて、第２のインターホン親機１Ａが接続されている。インターホン子機２は、第１のインターホン親機１から、図示しない電源供給線を通じた駆動電源の供給を受けて駆動するようにしている。
【００１８】
なお、商用交流電源３をインターホン子機２に接続することで、インターホン子機２から第２のインターホン親機１Ａに駆動電源を、図示しない電源供給線を通じて供給して、第２のインターホン親機１Ａを駆動させるようにしてもよい。また、第１のインターホン親機１、インターホン子機２には、商用交流電源３による駆動電源を一旦、直流電源に変換してから供給するようにしてもよい。
【００１９】
このような構成のインターホンシステムによれば、インターホン子機２で呼出操作があれば、通信線Ｌ３を通じた呼出信号の送出がインターホン親機１，１Ａに対してなされ、これを受けたインターホン親機１，１Ａは所定の呼出処理を行い、応答があれば、インターホン親機１，１Ａとインターホン親機２との間で通話線Ｌ４を通じた通話路が閉結され、通話可能となる。なお、呼出信号をインターホン親機１，１Ａに対して通信線Ｌ３を通じて送出する態様には限られず、図示しない電源供給線を通じて供給される駆動電源の電圧レベルを低下させ、これをインターホン親機１，１Ａに、呼出信号の送出があったと判断させるようにしてもよい。
【００２０】
図１は、本発明のインターホン親機１，１Ａの要部構成の一例を示すブロック図である。図中、Ｖは電源線Ｌ１を接続する電源端子、Ｇはグランド線Ｌ２を接続するグランド端子、ＴＢは通信線Ｌ３を接続する通信端子、ＴＡは通話線Ｌ４を接続する通話線端子である。
【００２１】
このインターホン親機１，１Ａは、図１に示すように、以下の各部を制御する演算処理回路１０、インターホン子機３からの呼出に対して応答するための応答釦１１、インターホン子機３からの呼出を通知する通知灯１２、通話線Ｌ４を通じて、スピーカＳＰとマイクＭＩとを用いた通話を行うための通話回路１３、電源端子Ｖとグランド端子Ｇとの短絡を防止するために設けられ、その抵抗値により電位差を生じさせて、通話路切換手段１５が作動する電流を流す抵抗器１４、電磁接触器や電磁開閉器で構成され、電源端子Ｖに電源線Ｌ１が接続され、グランド端子Ｇにグランド線Ｌ２が接続されて、駆動電源ＶＯによる電流が流れたときに、制御接点１５Ａ、１５Ｂを制御して、通信線端子ＴＢと演算処理回路１０との間、通話線端子ＴＡと通話回路１３との接続を行う常開型のリレー回路で構成される通話路切換手段１５を備えている。
【００２２】
このような構成のインターホン親機１，１Ａは、電源端子Ｖに電源線Ｌ１、グランド端子Ｇにグランド線Ｌ２が接続されたときには、駆動電源ＶＯによる電流が通話路切換手段１５に流れるので、通話路切換手段１５は、制御接点１５Ａ，１５Ｂを閉じ制御して、通信線端子ＴＢと演算処理回路１０との間、通話線端子ＴＡと通話回路１３との間をそれぞれ接続する。
【００２３】
ここで、インターホン親機１，１Ａでは、通話路切換手段１５は、抵抗器１４により生じた電位差により流れた電流を受けて閉じ制御しているが、演算処理回路１０が電源端子Ｖに生じた電圧を検出し、通話路切換手段１５に電流を流すような構成にしてもよい。
【００２４】
図２は、本発明のインターホン子機２の要部構成の一例を示すブロック図である。
【００２５】
このインターホン子機２は、以下の各部を制御し、電源端子Ｖへの駆動電圧ＶＯの印加を検出して、通話路切換手段２４に電流を流して制御接点２４Ａ，２４Ｂを閉じ制御する演算処理回路２０、インターホン親機１を呼び出すための呼出釦２１、通話線Ｌ４を通じて、スピーカＳＰとマイクＭＩとを用いた通話を行うための通話回路２２、演算処理回路２０の短絡を防止するために設けられる抵抗器２３、電磁接触器や電磁開閉器で構成され、演算処理回路２０による制御を受けて、制御接点２４Ａ、２４Ｂを制御して、通信線端子ＴＢと演算処理回路２０との間、通話線端子ＴＡと通話回路２２との接続を行う常開型のリレー回路で構成される通話路切換手段２４を備えている。
【００２６】
このような構成のインターホン子機２は、電源端子Ｖに電源線Ｌ１を接続し、グランド端子Ｇにグランド線Ｌ２を接続したときには、インターホン親機１から駆動電源ＶＯが供給され、電源端子Ｖに駆動電圧ＶＯが印加される。このとき、演算処理回路２０は、電源端子Ｖへの駆動電圧ＶＯの印加を検出して、通話路切換手段２４に電流を流すことによって制御接点２４Ａ，２４Ｂを閉じ制御して、通信線端子ＴＢと演算処理回路２０との間、通話線端子ＴＡと通話回路２４との間をそれぞれ接続する。
【００２７】
図３は、本発明のインターホン子機の要部構成の他例を示すブロック図である。
【００２８】
このインターホン子機２Ａは、電源端子Ｖに電源線Ｌ１を接続し、グランド端子Ｇにグランド線Ｌ２を接続したときには、駆動電源ＶＯによる電流が、抵抗器２３により生じた電位差によって、通話路切換手段２４に流れるので、通話路切換手段２４は、制御接点２４Ａ，２４Ｂを閉じ制御して、通信線端子ＴＢと演算処理回路２０との間、通話線端子ＴＡと通話回路１４との間をそれぞれ接続する。
【図面の簡単な説明】
【００２９】
【図１】本発明のインターホン親機の要部構成の一例を示すブロック図
【図２】本発明のインターホン子機の要部構成の一例を示すブロック図
【図３】本発明のインターホン子機の要部構成の他例を示すブロック図
【図４】本発明のインターホンシステムの一例を示すシステム系統図
【符号の説明】
【００３０】
１，１Ａ  インターホン親機
２，２Ａ  インターホン子機
１３，２２  通話回路
１５，２４  通話路切換手段
Ｖ  電源端子
ＴＡ  通話線端子
【図１】
2008085611.tif 000003
【図２】
2008085611.tif 000004
【図３】
2008085611.tif 000005
【図４】
2008085611.tif 000006